(57)【要約】      （修正有）【課題】使用者自身が使いやすく、細いピアスホールの内部を傷付けずにきれいに清掃でき、ピアスホールの内側をアレルギー反応を引き起こすことなく消毒・殺菌できるピアスホール清掃装置を提供する。【解決手段】ピアスホール清掃装置は、難水溶性の軟質紙からなり先鋭な先端部、若干広げられた末端部、先端部及び末端部の間に位置し縒りによる凹凸部を有する中間部を有するこより２１と、こよりを浸すことの可能な次亜塩素酸２２とを備えて構成される。【選択図】図２
2019181035.tif 000002
【特許請求の範囲】
【請求項１】
難水溶性の軟質紙からなり、先鋭な先端部、若干広げられた末端部、前記先端部及び前記末端部の間に位置し縒りによる凹凸部を有する中間部を有するこよりと、
前記こよりを浸すことの可能な次亜塩素酸と
を具備することを特徴とするピアスホール清掃装置。
【請求項２】
前記こよりの前記先端部が接着剤を含む固化手段によって固化されたことを特徴とする請求項１記載のピアスホール清掃装置。
【発明の詳細な説明】
【技術分野】
【０００１】
本発明は、ピアス式装身具を装着するために、耳たぶ（以下、「耳朶」と略記する。）等の人体に穿孔された極めて細い穿孔穴（以下、「ピアスホール」と記述する。）の清掃装置に関するものである。
【背景技術】
【０００２】
耳朶等の人体に穿孔されたピアスホールは極めて小径の孔であるため清掃がしづらく、顔や体は清掃してもピアスホール内部を清掃することはほとんど行われていない。そのためピアスホールには埃や人体の垢が溜まりやすいところ、ピアスホール中の皮膚は極めて薄いため、埃や垢に雑菌が繁殖して炎症を引き起こしたりする危険がある。また近年では日本でも欧米に倣ってハグ（抱擁）する習慣が普及し耳朶に香水や芳香剤を付けることが流行してきている。これらもピアスホールの中を汚す原因にもなっており、ピアスホールの中については清掃消毒を行い常に清潔を保つ必要がある。
【０００３】
しかし、ピアスホールは極めて小径の孔であるためピアス使用者が自身で清掃することは難しく、例えばつま楊枝のような硬い棒状体を差し込んだりしてピアスホールの中を傷付けてしまう事故も発生している。このような問題に対して特許文献１では、柔軟性のある素材から成る棒状体の両端を硬く固め、消毒薬を塗布した掃除具をピアスホールに差し込み抜き出すことによりピアスホール中を清掃及び消毒するとする技術思想が開示されている。
【０００４】
同文献に開示されるものは、使用者自身が清掃しやすい技術ではあるが、硬く固めた棒状体をピアスホールに差し込む場合、棒状体の硬い角がピアスホールの中の皮膚を傷付けてしまう恐れのあること、消毒薬によってピアスホールの中の薄い皮膚にアレルギー反応を引き起こす可能性があること、などの問題点が存在する。
【先行技術文献】
【特許文献】
【０００５】
【特許文献１】実用新案登録第３０８０２５４号公報
【発明の概要】
【発明が解決しようとする課題】
【０００６】
本発明は上述したようなこれまでの問題点を解決するものであり、まず、使用者自身が使いやすく、細いピアスホールの内部を傷付けずにきれいに清掃できるピアスホール清掃装置の実現を課題とする。
【０００７】
更に、ピアスホールという人体に穿孔された細孔の内側皮膚を傷付けることなく、且つアレルギー反応を引き起こすことなく消毒・殺菌できるピアスホール清掃装置を提供することも課題とする。
【課題を解決するための手段】
【０００８】
上記のような各課題を解決するために、本発明に係るピアスホール清掃装置においては、難水溶性のティッシュペーパーのような柔軟な紙を細く切り、端から縒って「こより」を製造する。その上で、該「こより」の尖頭部をピアスホールに差し込み、ピアスホールを突き通す。「こより」の後端部は拡げておき、ピアスホールを突き通す前に、拡げた部分に次亜塩素水を浸しておく。本発明のピアスホール清掃装置は、複数の上記「こより」と容器に入れた次亜塩素水とを備えて構成される。
【発明の効果】
【０００９】
上記構成を有する本発明によれば、柔らかい「こより」によって耳朶やボディのピアスホールの内部を傷つけることなく清掃すると共に、「こより」の末端に浸したアレルギー反応を引き起こす恐れの少ない次亜塩素水によって殺菌・消毒を行うことができる。
【図面の簡単な説明】
【００１０】
【図１Ａ】本発明の一実施形態に係るピアスホール清掃装置を構成する「こより」の構成を示す概念的斜視図である。
【図１Ｂ】本発明の一実施形態に係るピアスホール清掃装置を構成する「こより」の構成並びにその製造方法を示す概念的斜視図である。
【図１Ｃ】本発明の一実施形態に係るピアスホール清掃装置を構成する「こより」の構成並びにその製造方法を示す概念的斜視図である。
【図２】本発明の一実施形態に係るピアスホール清掃装置の構成図である。
【図３Ａ】本発明の一実施形態に係るピアスホール清掃装置の使用方法を説明するための概念的斜視図である。
【図３Ｂ】本発明の一実施形態に係るピアスホール清掃装置の使用方法を説明するための概念的斜視図である。
【発明を実施するための形態】
【００１１】
以下、図面を参照して本発明の一実施形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００１２】
図１Ａ〜図１Ｃは本発明の一実施形態に係るピアスホール清掃装置１０を構成する「こより」２１の構成並びにその製造方法を示す概念的斜視図である。本発明の一実施形態に係る「こより」２１は、難水溶性のティッシュペーパーのような柔軟な紙１を細く切り、一端から斜めに縒っていくようにして製造される。「こより」２１の縒り始めに係る部位である先端部（「尖頭部」ともいう。以下同。）４は図１Ｃのごとく尖っており、中間部は柱状ではあるが縒りのため微細な凹凸を生ずる。縒り終わりに係る「こより」２１の部位である末端部５は、好ましくは、後記説明のごとく完全に縒り終えず多少広げておいた形状を有する。こうした形状の方が次亜塩素水を含ませるのに都合がよいからである。
【００１３】
図２は、本発明の一実施形態に係るピアスホール清掃装置１０の構成図である。本発明の一実施形態に係るピアスホール清掃装置１０は、上記製法による複数の「こより」２１と容器に入れた次亜塩素水２２とを備えて構成されている。
【００１４】
次亜塩素水は、食品加工等の分野において洗浄・消毒用途などで使用される食品添加物（殺菌科）であり、その製造方法から一般的に電解水と呼ばれている。食品添加物として使用されていることからもわかる通り人体には無害で、アルコールなどの消毒薬とは異なりアレルギー反応を引き起こすことの無い安全な消毒剤である。
【００１５】
本願における「こより」２１の用い方としては、たとえば、「こより」２１の縒り始めの尖った先端部４をピアスホールに差し込み、「こより」２１全体をピアスホールにくぐらせる。先端部４は縒り始めのため固くなっているが、更にピアスホールの細穴に差し込み易いように湿潤紙力増強剤やでんぷん糊のような皮膚アレルギーを引き起こさない接着剤で固めておいてもよい。
【００１６】
「こより」２１の中間部分は縒りのために微小な凹凸があり、この部分がピアスホールを通過するとき、上記凹凸によりピアスホール中にこびりついた汚れを綺麗にこすり落とし、「こより」２１の末端部５に沁み込ませた次亜塩素水によってピアスホール中を消毒することができる。
【００１７】
次に、本願の一実施形態に係るピアスホール清掃装置の作用動作について説明する。図３Ａ及び図３Ｂは、本発明のピアスホール清掃装置１０の使用方法を説明するための概念的斜視図である。使用にあたっては、先ず「こより」２１の末端部５を次亜塩素水に浸し、尖った先端部４を耳朶３０のピアスホール３１の一端３２に差し込み、耳朶の他端３３に突き出るよう押し込む。耳朶のピアスホール他端３３から突き出た「こより」２１の先端をつまんでピアスホール３１中をくぐらせて引き抜く。
【００１８】
この時、「こより」２１の中間の微細な凹凸によりピアスホール３１中にこびりついたようなごみも掻き出され、「こより」２１の末端部５に浸された次亜塩素水によりピアスホール３１中が清掃されると共に、安全に消毒、殺菌される。上記のように「こより」２１は難水溶性の紙で作られているため、たとえ末端部５が次亜塩素水に浸されていても、「こより」２１が途中で千切れてしまうことはない。なお、「こより」２１の一端を差し込むため次亜塩素水を収容する容器は広口型が望ましい。
【産業上の利用可能性】
【００１９】
上記においては、本発明の応用として耳朶のピアスホールの清掃について説明したが、耳朶以外のボディピアスホールにもただちに適用できるものである。またピアスホール以外でも、例えば幼児の足指又間の清掃や人体の狭い部分の清掃にも広く応用でき、さらには機械部分の細穴の清掃に至るまで広く応用できる可能性がある。
【符号の説明】
【００２０】
１…柔軟な紙、４…先端部、５…末端部、２１…こより、２２…次亜塩素水、３０…耳朶、３１…ピアスホール、３２…一端、３３…他端
【図１Ａ】
2019181035.tif 000003
【図１Ｂ】
2019181035.tif 000004
【図１Ｃ】
2019181035.tif 000005
【図２】
2019181035.tif 000006
【図３Ａ】
2019181035.tif 000007
【図３Ｂ】
2019181035.tif 000008